(57)【要約】【課題】滑りトルクの低下および寿命低下を招くことなく、軽量化を実現できる緩衝装置を提供すること。【解決手段】緩衝装置のセンタケース２０は、前板部２０Ａに固定ディスク２２側へ突出する段差部２０ｂが設けられ、この段差部２０ｂに複数個の突起部２０ｃが設けられている。固定ディスク２２は、前板部２０Ａとの間に回転ディスク２１を挟み込んで配置され、自身に形成された穴２２ａが前板部２０Ａに設けられた突起部２０ｃに嵌合して回転規制されている。この緩衝装置は、前板部２０Ａに段差部２０ｂを設け、更にその段差部２０ｂに突起部２０ｃを設けているので、前板部２０Ａの肉厚を薄くしても、回転ディスク２１の板厚を薄くすることなく、固定ディスク２２の穴２２ａを突起部２０ｃに嵌合して回転規制することができる。【選択図】        図１
2004257482.tif 000002
【特許請求の範囲】
【請求項１】
回転不能に配置されたベース部材と、
このベース部材に設けられた複数の突起部に嵌合して回転規制された固定ディスクと、
前記ベース部材と前記固定ディスクとの間に配置され、両者に対し回転可能に設けられたリング形状の回転ディスクとを備え、
この回転ディスクと前記ベース部材及び前記固定ディスクとの間にそれぞれ摩擦力を発生させることで前記回転ディスクを回転規制し、前記回転ディスクに前記摩擦力を超える回転トルクが加わった時に、前記回転ディスクが回転することで動力伝達系に加わる衝撃力を吸収する緩衝装置において、
前記ベース部材は、前記回転ディスクと摩擦接触する環状の摩擦面を有し、この摩擦面に対して前記固定ディスク側へ突出する段差部が設けられ、この段差部に前記複数の突起部が設けられていることを特徴とする緩衝装置。
【請求項２】
請求項１に記載した緩衝装置において、
前記ベース部材は、前記段差部がプレス加工により設けられていることを特徴とする緩衝装置。
【請求項３】
請求項１または２に記載した緩衝装置において、
前記段差部は、その外形状が前記ベース部材の中心から同一半径を有する円形に設けられていることを特徴とする緩衝装置。
【請求項４】
請求項１または２に記載した緩衝装置において、
前記段差部は、前記ベース部材の周方向に分割して複数箇所に設けられ、且つ個々の段差部が前記ベース部材の中心から同一半径上にあり、前記個々の段差部にそれぞれ前記突起部が設けられていることを特徴とする緩衝装置。
【請求項５】
請求項１または２に記載した緩衝装置において、
前記段差部は、前記ベース部材の中心から同一半径上で前記ベース部材の半径方向外側へ円弧形状に拡大する複数の円弧形状部を有し、その複数の円弧形状部にそれぞれ前記突起部が設けられていることを特徴とする緩衝装置。
【請求項６】
請求項１〜５に記載した何れかの緩衝装置において、
前記ベース部材は、前記回転ディスクの内周面を支持して前記回転ディスクの芯出しを行う芯出し部を有し、この芯出し部が前記段差部によって形成されていることを特徴とする緩衝装置。
【請求項７】
請求項６に記載した緩衝装置において、
前記芯出し部として機能する前記段差部の側面には、前記回転ディスクの内周面を支持するガイド面を形成するために切欠き部が設けられていることを特徴とする緩衝装置。
【請求項８】
請求項３に記載した緩衝装置において、
請求項７に記載した前記切欠き部は、前記段差部の側面全周に設けられていることを特徴とする緩衝装置。
【請求項９】
請求項４または５に記載した緩衝装置において、
請求項７に記載した前記切欠き部は、前記段差部の側面のうち前記回転ディスクの内周面を支持する部分のみに設けられていることを特徴とする緩衝装置。
【請求項１０】
請求項１〜９に記載した何れかの緩衝装置において、
前記ベース部材は、リング形状を有する前板部の内径側と外径側とにそれぞれ円筒壁部が一体に設けられて、その内側に前記固定ディスク及び前記回転ディスクを収容する前記緩衝装置のケースとして構成され、前記前板部に前記摩擦面及び前記段差部が設けられていることを特徴とする緩衝装置。
【請求項１１】
請求項１〜１０に記載した緩衝装置は、エンジンを始動するためのスタータに用いられることを特徴とする緩衝装置。
【発明の詳細な説明】
【０００１】
【発明の属する技術分野】
本発明は、衝撃力を吸収するための緩衝装置に関する。
【０００２】
【従来の技術】
従来より、過大なトルク伝達を遮断するために緩衝装置を備えたスタータがある（特許文献１参照）。
このスタータに使用される緩衝装置は、図８に示す様に、センタケース１００  と固定ディスク１１０  の間に回転ディスク１２０  を配置し、その回転ディスク１２０  とセンタケース１００  および固定ディスク１１０  との間にそれぞれ摩擦力を発生させ、この摩擦力により回転ディスク１２０  が回転規制されることでトルク伝達を行い、回転ディスク１２０  に所定トルク以上の衝撃力が加わると、摩擦力に抗して回転ディスク１２０  が滑る（回転する）ことで衝撃力を吸収している。
【０００３】
【特許文献１】
特開２００１−１８７９２５  号公報
【０００４】
【発明が解決しようとする課題】
ところが、上記の緩衝装置は、センタケース１００  に設けられた突起部１３０  によって固定ディスク１１０  を回転規制している（固定ディスク１１０  に形成された孔１４０  が突起部１３０  に嵌合している）ため、軽量化のためにセンタケース１００  を薄肉化すると、突起部１３０  の打ち出し高さが低くなる。つまり、プレスによって突起部１３０  を形成する場合、センタケース１００  の肉厚が薄くなる程、突起部１３０  を高くすることが困難になる。
【０００５】
このため、センタケース１００  の薄肉化により突起部１３０  の高さが低くなると、突起部１３０  に固定ディスク１１０  の孔１４０  を嵌合させるために、回転ディスク１２０  の板厚を薄くする必要が生じる。しかし、回転ディスク１２０  の板厚を薄くすると、緩衝装置の滑りトルクを高い値に設定すること（高トルク化）が困難となる。また、回転ディスク１２０  の板厚が薄くなる分、緩衝装置の寿命が低下するという問題も生じる。
本発明は、上記事情に基づいて成されたもので、その目的は、滑りトルクの低下および寿命低下を招くことなく、軽量化を実現できる緩衝装置を提供することにある。
【０００６】
【課題を解決するための手段】
（請求項１の手段）
本発明は、回転ディスクとベース部材及び固定ディスクとの間にそれぞれ摩擦力を発生させることで回転ディスクを回転規制し、回転ディスクに摩擦力を超える回転トルクが加わった時に、回転ディスクが回転することで動力伝達系に加わる衝撃力を吸収する緩衝装置において、
ベース部材は、回転ディスクと摩擦接触する環状の摩擦面を有し、この摩擦面に対して固定ディスク側へ突出する段差部が設けられ、この段差部に複数の突起部が設けられていることを特徴とする。
【０００７】
上記の構成では、ベース部材に設けられた段差部に突起部が設けられるので、段差部の高さ分だけ、摩擦面から突起部の高さ方向先端までの高さを高くできる。これにより、ベース部材の肉厚を薄くした場合でも、回転ディスクの板厚を薄くすることなく、固定ディスクを突起部に嵌合して回転規制することができる。
その結果、滑りトルクの低下および緩衝装置の寿命低下を抑制でき、ベース部材の薄肉化により軽量化を実現できる。
また、段差部の高さに応じて回転ディスクの板厚を任意に変更できるので、滑りトルクを広範囲に設定可能となる。
【０００８】
（請求項２の手段）
請求項１に記載した緩衝装置において、
ベース部材は、段差部がプレス加工により設けられていることを特徴とする。
ベース部材を薄肉化することにより、段差部をプレス加工により形成することができる。これにより、段差部を切削加工で設ける場合と比較すると、加工コストが安く、且つ歩留りも向上するため、緩衝装置の製造コストを低減できる。
【０００９】
（請求項３の手段）
請求項１または２に記載した緩衝装置において、
段差部は、その外形状がベース部材の中心から同一半径を有する円形に設けられていることを特徴とする。
これにより、請求項１の手段に記載した効果を得ることができる。
【００１０】
（請求項４の手段）
請求項１または２に記載した緩衝装置において、
段差部は、ベース部材の周方向に分割して複数箇所に設けられ、且つ個々の段差部がベース部材の中心から同一半径上にあり、個々の段差部にそれぞれ突起部が設けられていることを特徴とする。
これにより、請求項１の手段に記載した効果を得ることができる。
【００１１】
（請求項５の手段）
請求項１または２に記載した緩衝装置において、
段差部は、ベース部材の中心から同一半径上でベース部材の半径方向外側へ円弧形状に拡大する複数の円弧形状部を有し、その複数の円弧形状部にそれぞれ突起部が設けられていることを特徴とする。
これにより、請求項１の手段に記載した効果を得ることができる。
【００１２】
（請求項６の手段）
請求項１〜５に記載した何れかの緩衝装置において、
ベース部材は、回転ディスクの内周面を支持して回転ディスクの芯出しを行う芯出し部を有し、この芯出し部が段差部によって形成されていることを特徴とする。
この構成によれば、回転ディスクが芯出し部（段差部）によって芯出しされるので、回転ディスクの回転が安定して、滑りトルクが安定する。
【００１３】
（請求項７の手段）
請求項６に記載した緩衝装置において、
芯出し部として機能する段差部の側面には、回転ディスクの内周面を支持するガイド面を形成するために切欠き部が設けられていることを特徴とする。
この場合、切欠き部によって形成されるガイド面に回転ディスクの内周面が支持されると共に、切欠き部を設けることによって回転ディスクの内周面角部とベース部材との干渉を回避できるので、回転ディスクの芯出しを精度良く、且つ安定して行うことができる。また、プレス加工時に段差部の側面をベース部材の平面（摩擦面を含む面）と直角に設ける必要がないので、高精度なプレス加工が不要である。
【００１４】
（請求項８の手段）
請求項３に記載した緩衝装置において、
請求項７に記載した切欠き部は、段差部の側面全周に設けられていることを特徴とする。
この場合、切欠き部によって形成されるガイド面を段差部の側面全周に設けることができるので、回転ディスクの芯出しを良好に行うことができる。
【００１５】
（請求項９の手段）
請求項４または５に記載した緩衝装置において、
請求項７に記載した切欠き部は、段差部の側面のうち回転ディスクの内周面を支持する部分のみに設けられていることを特徴とする。
この場合、段差部の側面全周に切欠き部を設ける必要がなく、回転ディスクの内周面を支持する部分のみに設ければ良いので、切欠き部を設けることによるベース部材の肉厚減少部を少なくでき、ベース部材の強度低下を小さくできる。
【００１６】
（請求項１０の手段）
請求項１〜９に記載した何れかの緩衝装置において、
ベース部材は、リング形状を有する前板部の内径側と外径側とにそれぞれ円筒壁部が一体に設けられて、その内側に固定ディスク及び回転ディスクを収容する緩衝装置のケースとして構成され、前板部に摩擦面及び段差部が設けられていることを特徴とする。
この構成によれば、前板部の内径側と外径側とにそれぞれ円筒壁部が設けられるので、前板部の剛性が高くなる。その結果、固定ディスクに回転ディスクを押圧する際に生じる反力による変形に対し強くなる。これにより、ベース部材の肉厚をより一層薄肉化することが可能である。
【００１７】
（請求項１１の手段）
請求項１〜１０に記載した緩衝装置は、エンジンを始動するためのスタータに用いることにより、スタータの動力伝達系に加わる過大トルクを吸収できるので、信頼性に優れたスタータを実現できる。
【００１８】
【発明の実施の形態】
次に、本発明の緩衝装置をスタータに用いた実施例を図面に基づいて説明する。
（第１実施例）
図１は減速装置と緩衝装置の構造を示す断面図、図２はスタータの全体図である。
本実施例のスタータ１は、図２に示すように、回転力を発生するモータ２と、このモータ２の回転力が伝達されて回転する出力軸３、この出力軸３上に一方向クラッチ４と共に配置されるピニオン５、モータ２の通電電流をＯＮ／ＯＦＦする電磁スイッチ６、及びスタータ１の動力伝達系に加わる過大なトルクを吸収する緩衝装置（後述する）等より構成される。
【００１９】
モータ２は、電機子７と界磁（ヨーク８、界磁極９、界磁巻線１０）、および電機子７に設けられる整流子（図示せず）上に配置されるブラシ（図示せず）等から構成される周知の直流電動機であり、図示しないＩＧスイッチがＯＮされて、電磁スイッチ６によりモータ接点（図示しない）が閉じると、バッテリ電流がブラシに給電され、そのブラシが接触する整流子を介して電機子７に通電されることにより、電機子７に回転力を発生する。
【００２０】
出力軸３は、以下に記載する減速装置を介して電機子７の回転軸７ａと同軸線上に配置され、電機子７の回転が減速装置を介して伝達される。
減速装置は、図１に示す様に、回転軸７ａの前端部に形成されたサンギヤ１１に噛み合う複数の遊星ギヤ１２と、この遊星ギヤ１２に噛み合うリング形状のインターナルギヤ１３とで構成される遊星歯車減速装置である。遊星ギヤ１２は、出力軸３の後端フランジ部３ａに圧入固定されたピン１４に軸受１５を介して回転自在に支持され、サンギヤ１１の回転を受けて自転運動と公転運動を行うことにより、その公転運動が回転出力として出力軸３に伝達される。
【００２１】
一方向クラッチ４は、図示しないローラを介してアウタからインナへ動力伝達を行う周知のローラ式クラッチであり、アウタと一体に設けられたスプラインチューブ１６が出力軸３に設けられるヘリカルスプラインに結合して出力軸３上を移動可能に設けられている。
ピニオン５は、一方向クラッチ４のインナと一体に設けられ、エンジン始動時に一方向クラッチ４と共に出力軸３上を移動してエンジンのリングギヤ１７に噛み合い、モータ２の回転力をリングギヤ１７に伝達する。
【００２２】
電磁スイッチ６は、ＩＧスイッチのＯＮ操作によって通電される励磁コイル（図示せず）と、この励磁コイルの内側を往復動可能に挿入されたプランジャ１８とを有し、励磁コイルが通電されるとプランジャ１８を吸引する磁力が発生し、その磁力を受けてプランジャ１８が移動する（図２の右方向へ移動する）ことにより、前記モータ接点をＯＮする。
また、電磁スイッチ６は、プランジャ１８を吸引することにより、そのプランジャ１８に連結されたシフトレバー１９を介して一方向クラッチ４と共にピニオン５をリングギヤ１７側へ付勢する。
【００２３】
緩衝装置は、図１に示すように、減速装置の反モータ側に配置され、以下に説明するセンタケース２０、回転ディスク２１、固定ディスク２２、皿ばね２３等により構成される。
センタケース２０は、出力軸３と直交して出力軸３の外周に配置されるリング形状の前板部２０Ａと、この前板部２０Ａの内径端より軸方向後方（図１の右方向）へ筒状に延びる内側円筒部２０Ｂ、及び前板部２０Ａの外径端より軸方向後方へ筒状に延びる外側円筒部２０Ｃとを有し、１枚の金属板をプレス加工して形成されている。
【００２４】
前板部２０Ａは、回転ディスク２１と摩擦接触する環状の摩擦面２０ａ（図３（ａ），（ｃ）  参照）を有し、この摩擦面２０ａより内径側に、摩擦面２０ａに対して固定ディスク２２側（図１の右側）へ突出する段差部２０ｂが設けられ、この段差部２０ｂに更に複数個の突起部２０ｃが設けられている。
段差部２０ｂは、図３（ｂ），（ｃ）  に示す様に、前板部２０Ａの内径から半径方向外側へ所定の幅でリング形状に設けられ、そのリング形状の外径部に複数（本実施例では６箇所）の円弧部２０ｄが設けられている。この円弧部２０ｄは、リング形状の半径方向外側に向かって半円形状に突き出て設けられ、周方向に等間隔に配置されている。
【００２５】
複数個の突起部２０ｃは、図３（ｂ），（ｃ）  に示す様に、センタケース２０の中心Ｏから同一半径上（上記リング形状の外径上）にあり、且つ上記の各円弧部２０ｄ上に設けられている。
内側円筒部２０Ｂは、自身の内周に軸受２４が圧入され、その軸受２４を介して出力軸３の後端部を回転可能に支持している。
外側円筒部２０Ｃは、インターナルギヤ１３の外周を覆ってモータ２側まで延設され、その後端部が、ヨーク８の前端部にインロー嵌合して組み付けられている。
【００２６】
回転ディスク２１は、金属板をプレス加工してリング形状に設けられ、前板部２０Ａに設けられた段差部２０ｂ（各円弧部２０ｄ）の外周に嵌合して、前板部２０Ａの摩擦面２０ａに当接して配置される。なお、回転ディスク２１の内径は、段差部２０ｂの各円弧部２０ｄが内接する外周円を仮想した時に、その外周円の内径と略同等（若干大きい）に設けられている。
【００２７】
回転ディスク２１の外径部には、複数の爪部２１ａ（図１参照）が設けられ、この爪部２１ａがインターナルギヤ１３の軸方向先端部に設けられた切欠き溝１３ａに挿入され、インターナルギヤ１３と相対回転できない様に結合されている。従って、インターナルギヤ１３は、回転ディスク２１がセンタケース２０の前板部２０Ａと固定ディスク２２との間に押圧されて回転規制されることにより、その回転ディスク２１と共に回転規制される。
【００２８】
固定ディスク２２は、回転ディスク２１と同様に金属板をプレス加工してリング状に形成され、前板部２０Ａとの間に回転ディスク２１を挟み込んで配置される。この固定ディスク２２には、周方向等間隔に複数の穴２２ａが開けられ、この穴２２ａが前板部２０Ａに設けられた突起部２０ｃに嵌合することにより、センタケース２０に対して回転規制されている。
【００２９】
皿ばね２３は、固定ディスク２２の反回転ディスク側に配置され、自身の弾力により固定ディスク２２を回転ディスク２１側へ押圧している。
緩衝装置の滑りトルク、つまり回転ディスク２１が前板部２０Ａ及び固定ディスク２２との間に生じる摩擦力に抗して回転するために必要なトルクは、皿ばね２３の初期荷重に応じて設定される。その皿ばね２３の初期荷重は、センタケース２０の内側円筒部２０Ｂに設けられるかしめ部２０ｅのかしめ量（かしめ高さ）によって調整できる。
【００３０】
次に、スタータ１の作動を説明する。
ＩＧスイッチのＯＮ操作により、電磁スイッチ６の励磁コイルが通電されると、プランジャ１８が吸引されて図２の右方向へ移動することにより、シフトレバー１９を介して一方向クラッチ４と共にピニオン５が出力軸３上を前方（図２の左方向）へ押し出され、一旦リングギヤ１７に当接して停止する。
一方、プランジャ１８が吸引されてモータ接点がＯＮすると、電機子７にバッテリ電流が通電されて電機子７に回転力が発生し、その電機子７の回転が減速装置で減速されて出力軸３に伝達される。
【００３１】
出力軸３の回転は、一方向クラッチ４を介してピニオン５に伝達され、ピニオン５がリングギヤ１７と噛み合い可能な位置まで回転してリングギヤ１７に噛み合うと、ピニオン５からリングギヤ１７に回転力が伝達されてエンジンを始動させる。
エンジン始動後、ＩＧスイッチのＯＦＦ  操作により、励磁コイルへの通電が停止して磁力が消滅すると、それまで吸引されていたプランジャ１８が初期位置（図２に示す位置）へ押し戻されることにより、ピニオン５がリングギヤ１７から離脱して、一方向クラッチ４と共に出力軸３上を後退する。また、電磁スイッチ６のモータ接点が開くことにより、電機子７への通電が停止して回転を停止する。
【００３２】
次に、緩衝装置の作用について説明する。
緩衝装置は、インターナルギヤ１３を介して回転ディスク２１に所定トルク以上の衝撃力が加わると、摩擦力によって静止していた回転ディスク２１が回転することで衝撃力を吸収する。即ち、ピニオン５がリングギヤ１７に噛み合う時に生じる衝撃力が、出力軸３を介して減速装置のインターナルギヤ１３に伝わると、それまで静止していた回転ディスク２１がセンタケース２０の前板部２０Ａ及び固定ディスク２２に対し回転方向に滑ることにより、回転ディスク２１と共にインターナルギヤ１３が回転することができる。これにより、所定トルク以上の衝撃力が電機子７からピニオン５までの動力伝達系に加わることを防止できる。
【００３３】
（第１実施例の効果）
本実施例の緩衝装置は、センタケース２０の前板部２０Ａに段差部２０ｂを設け、更にその段差部２０ｂに突起部２０ｃを設けているので、段差部２０ｂの高さ分だけ、前板部２０Ａの表面（摩擦面２０ａ）から突起部２０ｃの高さ方向先端までの高さを高くできる。これにより、前板部２０Ａの肉厚を薄くした場合でも、回転ディスク２１の板厚を薄くすることなく、固定ディスク２２を突起部２０ｃに嵌合して回転規制することができる。
【００３４】
この結果、前板部２０Ａの肉厚を薄くした場合でも、回転ディスク２１の板厚を薄くする必要がないので、滑りトルクの低下および緩衝装置の寿命低下を抑制でき、前板部２０Ａの薄肉化によるセンタケース２０の軽量化を実現できる。また、段差部２０ｂの高さに応じて回転ディスク２１の板厚を任意に変更できるので、滑りトルクを広範囲に設定可能となる。
【００３５】
また、センタケース２０を薄肉化できるので、段差部２０ｂをプレス加工により形成することが容易である。これにより、段差部２０ｂを切削加工で設ける場合と比較すると、加工コストが安く、且つ歩留りも向上するため、緩衝装置の製造コストを低減できる。
更に、回転ディスク２１は、各円弧部２０ｄの外周に嵌合して取り付けられ、その各円弧部２０ｄによって芯出しされるので、衝撃力が加わった時に回転ディスク２１の回転が安定し、滑りトルクが安定するため、信頼性の高い緩衝装置を提供できる。
【００３６】
（第２実施例）
図４は段差部２０ｂ（円弧部２０ｄ）の側面に設けられる切欠き部２５の断面図である。
本実施例は、第１実施例に記載した円弧部２０ｄの外径側面（回転ディスク２１の内周面を支持する部分）に切欠き部２５を設けた一例である。
段差部２０ｂをプレス加工によって形成した場合に、前板部２０Ａの表面（摩擦面２０ａ）と段差部２０ｂの側面とが交差する内側角部にＲ部が残り（内側角部が直角にならない）、このＲ部に回転ディスク２１の内周角部が乗り上げると、前板部２０Ａと回転ディスク２１との間に生じる摩擦力が低下して、滑りトルクが安定しないという問題が生じる。
【００３７】
これに対し、図４および図５に示す様に、円弧部２０ｄの外径側面に切欠き部２５を設けることにより、上記Ｒ部を取り除くことができ、且つ切欠き部２５によって摩擦面２０ａと垂直なガイド面２６を形成することができる。
これにより、回転ディスク２１の内周角部がＲ部に乗り上げることはなく、前板部２０Ａ（摩擦面２０ａ）と回転ディスク２１との間に生じる摩擦力の低下を防止できる。また、回転ディスク２１は、切欠き部２５によって形成されたガイド面２６に支持されることで良好に芯出しされるので、衝撃力を受けた時に回転ディスク２１の回転が安定する。
【００３８】
なお、切欠き部２５は、図５に示す様に、回転ディスク２１の内周面を支持する部分のみに設けられている。つまり、切欠き部２５を段差部２０ｂの側面全周に設ける必要がないので、切欠き部２５を設けることによる前板部２０Ａの肉厚減少部を少なくでき、前板部２０Ａの強度低下を小さくできる。
【００３９】
（第３実施例）
図６はセンタケース２０の断面図（ａ）  、センタケース２０の軸方向外側から見た平面図（ｂ）  、センタケース２０の軸方向内側から見た平面図（ｃ）  である。
本実施例は、図６（ｂ），（ｃ）  に示す様に、前板部２０Ａに設けられる段差部２０ｂの外形状を円形とした場合の一例である。
この場合、第１実施例に対して段差部２０ｂの形状が異なるだけであり、第１実施例と同様の効果を得ることができる。
【００４０】
また、段差部２０ｂの外形状が円形であるため、回転ディスク２１の芯出し精度が良く、衝撃力が加わった時に回転ディスク２１が安定して回転することができる。
なお、本実施例においても、第２実施例と同じく、段差部２０ｂの側面に切欠き部２５を設けても良い。但し、段差部２０ｂの外形状が円形であるため、切欠き部２５は、段差部２０ｂの側面全周に設ける必要がある。
【００４１】
（第４実施例）
図７はセンタケース２０の断面図（ａ）  、センタケース２０の軸方向外側から見た平面図（ｂ）  、センタケース２０の軸方向内側から見た平面図（ｃ）  である。
本実施例は、図７（ｂ），（ｃ）  に示す様に、突起部２０ｃ毎に段差部２０ｂを分割して設けた場合の一例である。
本発明の緩衝装置は、前板部２０Ａの表面（摩擦面２０ａ）から突起部２０ｃの先端面までの高さを高くできれば良いので、突起部２０ｃを設ける部分だけに段差部２０ｂを分割して設けても良い。この場合も、第１実施例と同様の効果を得ることができる。
【００４２】
また、第２実施例と同じく、段差部２０ｂの側面に切欠き部２５を設けることにより、回転ディスク２１の芯出し精度を向上できる。この場合、第３実施例では、段差部２０ｂの側面全周に切欠き部２５を設けているが、本実施例では、第２実施例の場合と同じく、回転ディスク２１の内周面を支持する部位のみ切欠き部２５を設ければ良いので、切欠き部２５を設けることによる前板部２０Ａの肉厚減少部を少なくでき、前板部２０Ａの強度低下を小さくできる。
【００４３】
（変形例）
第１実施例では、本発明の緩衝装置をスタータ１に用いた例を記載したが、スタータ１以外の動力伝達装置に適用することもできる。
また、本発明の緩衝装置は、その機能上、ブレーキ装置やクラッチ装置としても使用できる。
【図面の簡単な説明】
【図１】減速装置と緩衝装置の構成を示す断面図である。
【図２】スタータの全体図である。
【図３】センタケースの断面図（ａ）  、センタケースの軸方向外側から見た平面図（ｂ）  、センタケースの軸方向内側から見た平面図（ｃ）  である（第１実施例）。
【図４】段差部の側面に設けられる切欠き部の断面図である（第２実施例）。
【図５】センタケースの断面図（ａ）  とセンタケースの軸方向内側から見た平面図（ｂ）  である（第２実施例）。
【図６】センタケースの断面図（ａ）  、センタケースの軸方向外側から見た平面図（ｂ）  、センタケースの軸方向内側から見た平面図（ｃ）  である（第３実施例）。
【図７】センタケースの断面図（ａ）  、センタケースの軸方向外側から見た平面図（ｂ）  、センタケースの軸方向内側から見た平面図（ｃ）  である（第４実施例）。
【図８】緩衝装置の断面図である（従来技術）。
【符号の説明】
１    スタータ
２０    センタケース（ケース）
２０Ａ  前板部（ベース部材）
２０Ｂ  内側円筒部（円筒壁部）
２０Ｃ  外側円筒部（円筒壁部）
２０ａ  摩擦面
２０ｂ  段差部
２０ｃ  突起部
２０ｄ  円弧部（円弧形状部）
２１    回転ディスク
２２    固定ディスク
２５    切欠き部
２６    ガイド面
【図１】
2004257482.tif 000003
【図２】
2004257482.tif 000004
【図３】
2004257482.tif 000005
【図４】
2004257482.tif 000006
【図５】
2004257482.tif 000007
【図６】
2004257482.tif 000008
【図７】
2004257482.tif 000009
【図８】
2004257482.tif 000010